(57)【要約】【課題】本発明は、デジタル放送をダイバーシチ受信する受信装置において、チャンネルサーチにおける高速性と信頼性を両立することを目的とする。【解決手段】本発明の受信装置は、第１受信部と、第２受信部と、第１受信部および第２受信部に接続された受信信号合成部と、第１受信部および第２受信部に接続された同期信号合成部と、同期信号合成部に接続された同期判定部とを有する。この構成において、いずれか一方の受信部からの同期信号を用いて同期判定を行い、かつ受信信号は第１受信部及び第２受信部の受信信号を用いてダイバーシチ受信を行う。【選択図】図１
2008060644.tif 000002
【特許請求の範囲】
【請求項１】
同期信号を有する送信信号の受信装置であって、第１受信部と、第２受信部と、前記第１受信部および前記第２受信部に接続された受信信号合成部と、前記第１受信部および前記第２受信部に接続された同期信号合成部と、前記同期信号合成部に接続された同期判定部とから構成された受信装置。
【請求項２】
前記送信信号は送信チャンネル毎に放送事業者名情報を有する放送信号であって、前記受信信号合成部に接続された誤り訂正部と、前記誤り訂正部に接続されたデコード部と、前記デコード部に接続された表示部と、前記デコード部に接続された放送事業者名取得部と、前記放送事業者名取得部に接続されたメモリとから構成された請求項１に記載の受信装置。
【請求項３】
前記同期信号合成部の合成処理を停止しいずれか一方の受信部からの同期信号を用いて同期判定を行うとともに、前記受信信号合成部の合成処理を行った状態でチャンネルサーチを行う請求項１または請求項２に記載の受信装置。
【請求項４】
前記送信信号は同期ワードを含むフレーム形式にて構成され、同期信号としてフレーム同期を用いる請求項１から請求項３のいずれか１つに記載の受信装置。
【請求項５】
前記送信信号は伝送パラメータ情報であるＴＭＣＣを含み、ＴＭＣＣ同期を用いる請求項１から請求項３のいずれか１つに記載の受信装置。
【請求項６】
ＡＦＣ同期を用いる請求項１から請求項３のいずれか１つに記載の受信装置。
【発明の詳細な説明】
【技術分野】
【０００１】
本発明は、デジタル放送をダイバーシチ受信する受信装置において、チャンネルサーチを行う受信装置に関する。
【背景技術】
【０００２】
近年、直交周波数分割多重方式（以下、ＯＦＤＭと称す）を採用したデジタル放送が開始された。
【０００３】
デジタル放送は移動受信に適した方式を採用しており、既にカーナビゲーションシステムや携帯電話への搭載が実用化されている。また、さらに移動受信性能を向上させるために複数のアンテナを用いて受信するダイバーシチ受信技術が採用されている。
【０００４】
また、選局に当たってはチャンネル番号と放送事業者を対応付ける選局チャンネル表が必要となるが、地域毎に放送事業者のチャンネル割り当てが異なっているため、移動受信端末においては受信する地域が変わる都度、全チャンネルをサーチして放送を行っているチャンネル番号と放送事業者名を対応付ける選局チャンネル表の作成（以下、チャンネルサーチ）を行う必要がある。
【０００５】
デジタル放送受信装置におけるチャンネルサーチは通常、受信部への受信周波数設定を行い、同期確立の有無を検出する第１ステップと、同期確立ができた場合には後段の誤り訂正処理やデコード処理を行い、放送事業者名取得処理を行う第２ステップを行う必要がある。特に第２ステップでは時間インタリーブ処理やデコード処理が非常に長い処理時間を要するため、アナログ放送に比べてチャンネルサーチ時間が大幅に増大する。そこで受信部を複数系統有するダイバーシチ受信装置の構成を利用してチャンネルサーチ時間を短縮する手法が考えられており、例えば、１つの受信系統で受信（以下、シングル受信）し、番組視聴している間に他方の受信系統でチャンネルサーチを行う手法や、複数の受信系統でそれぞれ別のチャンネルをシングル受信し、順番にチャンネル選局を行う手法が提案されている。
【０００６】
この出願の発明に関連する先行技術文献情報としては、例えば、特許文献１が知られている。
【特許文献１】特開２００６−１３６８９号公報
【発明の開示】
【発明が解決しようとする課題】
【０００７】
しかし、ダイバーシチ受信はシングル受信に比べて約３ｄＢ良好な感度を有するため、シングル受信にてチャンネルサーチを行う場合には検出漏れが発生する可能性がある。すなわち、シングル受信における映像再生感度を例えば−９９ｄＢとした場合、ダイバーシチ受信の映像再生感度は−１０２ｄＢとなるため、例えば電界強度が−１００ｄＢの受信環境では、ダイバーシチ受信では受信できるにも関わらず、シングル受信によるチャンネルサーチでは検出できないことになる。
【０００８】
さらに、一般に小型端末においてはシングル受信を行っている間に他方の受信系統でチャンネルサーチを行う手法は採用できない。すなわち小型端末においては、ダイバーシチ受信を行うために受信部を２系統有するが、小型化および低消費電力化のため、誤り訂正部やＭＰＥＧ等の圧縮信号のデコード処理を行うデコード部は１系統のみ有する構成が一般に採用されている。この構成では一方で受信している間は誤り訂正部やデコード部が専有されているため、他方でチャンネルサーチを行っても前述の第２ステップが実行できない。
【０００９】
そこで本発明は、ダイバーシチ構成の受信装置において、チャンネルサーチを高速かつ検出漏れなく行うことを目的とする。
【課題を解決するための手段】
【００１０】
上記目的を達成するために、本発明の受信装置は、第１受信部と、第２受信部と、第１受信部および第２受信部に接続された受信信号合成部と、第１受信部および第２受信部に接続された同期信号合成部と、同期信号合成部に接続された同期判定部とから構成されることを特徴とする。
【発明の効果】
【００１１】
上記構成により、シングル受信の同期感度とダイバーシチ受信の同期感度の差を利用することができる。すなわち、チャンネルサーチを行う際には受信信号合成部をダイバーシチ受信状態とし、かつ同期信号合成部はいずれか一方の受信部からの同期信号を用いて同期判定を行い、同期確立ができた場合には前述の第２ステップを実行して放送事業者名の取得を行った後に次のチャンネルをサーチし、同期検出ができなかった場合には即座に次のチャンネルをサーチすることにより、チャンネルサーチに要する時間を大幅に短縮することが可能となる。
【発明を実施するための最良の形態】
【００１２】
（実施の形態１）
以下、本発明における実施の形態１について説明する。
【００１３】
図１において、受信装置１は、第１受信部２と、第２受信部３と、第１受信部２および第２受信部３に接続された受信信号合成部６と、第１受信部２および第２受信部３に接続された同期信号合成部４と、同期信号合成部４に接続された同期判定部５と、受信信号合成部６に接続された誤り訂正部７と、誤り訂正部７に接続されたデコード部８と、デコード部８に接続された表示部９と、デコード部８に接続された放送事業者名取得部１０と、これら各ブロックを制御する制御部１１と、制御部１１に接続されたメモリ１２とから構成される。
【００１４】
本実施の形態における送信信号は同期ワードを含むフレーム形式にて構成され、同期信号合成部４は各受信部にて受信した信号を用いて合成或いは選択処理を行い、同期判定部５はフレーム内に配置された同期ワードを検出することにより同期補足を行う。同期信号の合成処理により同期補足の信頼性を高めることができ、ダイバーシチ受信装置においてすでに実施されている。
【００１５】
なお、フレーム同期ではなく伝送パラメータ情報であるＴＭＣＣ（Ｔｒａｎｓｍｉｓｓｉｏｎ  ａｎｄ  Ｍｕｌｔｉｐｌｅｘｉｎｇ  Ｃｏｎｓｉｇｕｒａｔｉｏｎ  Ｃｏｎｔｒｏｌ）の取得状態を示すＴＭＣＣ同期や、受信装置の周波数同期状態を示すＡＦＣ同期を用いても本実施の形態の制御を行うことが可能である。
【００１６】
この構成におけるダイバーシチ受信時およびシングル受信時における映像再生感度とフレーム同期感度を図２に示す。この図より、映像再生感度（シングル受信）＞映像再生感度（ダイバーシチ受信）＞フレーム同期感度（シングル受信）＞フレーム同期感度（ダイバーシチ受信）となっていることが分かる（値が小さい程特性が良い。縦軸は電界強度）。一般に、映像情報はＱＰＳＫや６４ＱＡＭなどの変調方式で符号化され、フレーム同期を行うために挿入される同期情報はＢＰＳＫなど映像情報よりもノイズに強い変調方式で符号化されるため、映像再生感度よりもフレーム同期感度の方が良好な特性になる。
【００１７】
この構成を用いて制御部１１を用いてチャンネルサーチを行う制御フローを図３を用いて説明する。ここでは１３チャンネルから６２チャンネルの中から放送を行っているチャンネルを見つけ出す場合を説明する。なお、受信信号合成部６は常にダイバーシチ状態であるとする。
【００１８】
まず、同期信号合成部４を停止(1)とすることにより第１受信部２あるいは第２受信部３のいずれか一方の受信部からの同期信号のみを用いて同期判定部５が同期判定を行う状態とする。次に初期チャンネルである１３を内部変数Ｃｈに設定(2)後、第１受信部２および第２受信部３に対して内部変数Ｃｈに対応する周波数設定(3)を行う。次に同期判定部５において同期ワード検出を行うフレーム同期処理(4)を行い、フレーム同期確立(5)ができない場合には内部変数Ｃｈに次のチャンネルである１４を設定する(9)。一方、フレーム同期確立(5)ができた場合には、誤り訂正部７およびデコード部８において誤り訂正及びデコード(6)を行い、放送事業者名取得部１０において放送事業者名取得(7)ができない場合には内部変数Ｃｈに次のチャンネルである１４を設定する(9)。一方、放送事業者名取得(7)ができた場合には現在のチャンネルである１３と取得した放送事業者名をメモリ１２に記憶(8)し、内部変数Ｃｈに次のチャンネルである１４を設定する(9)。この時点では内部変数Ｃｈは１４でありサーチ範囲内（１３〜６２）であるので、内部変数Ｃｈに対応する周波数設定(3)を行うステップに戻る。以上の制御を繰り返し行い、内部変数Ｃｈが６３となった場合に内部変数Ｃｈがサーチ範囲外となるので終了処理を行う。すなわち、同期信号合成部４に対して同期信号合成開始(11)とする制御を行い、選局チャンネル表を表示部９に表示(12)しチャンネルサーチを終了する。選局チャンネル表は放送波があると検出したチャンネルと放送事業者名の対応表で、１例を（表１）に示す。
【００１９】
【表１】
2008060644.tif 000003
【００２０】
従来のチャンネルサーチの制御フローでは同期信号合成部４に対して同期信号合成停止(1)とするステップ、および同期信号合成開始(11)とするステップが存在しなかった。すなわち、チャンネルサーチ時には同期信号合成部４と受信信号合成部６をともにシングル受信とした状態、或いは同期信号合成部４と受信信号合成部６をともにダイバーシチ受信とした状態で行っていた。図２に示すように、シングル受信或いはダイバーシチ受信における映像再生感度とフレーム同期感度は約６ｄＢの差があり、この間に位置する電界強度の受信環境においては、フレーム同期確立はできるが、映像再生感度より低いため放送事業者名は取得できない。すなわち、図３における誤り訂正及びデコード(6)と放送事業者名取得(7)のステップを行い、放送事業者名を取得できずに次のチャンネルをサーチする制御パスを通ることになる。誤り訂正及びデコード(6)は特に処理時間を要するため、チャンネルサーチ時間を大幅に増加させる要因となっていた。さらに、同期信号合成部４と受信信号合成部６をともにシングル受信状態とした場合には放送事業者名を取得できる感度は映像再生感度（シングル受信）となるため、ダイバーシチ受信では映像再生できるにも関わらず、チャンネルサーチで検出できない電界強度が存在し、検出漏れの原因となる。
【００２１】
本実施の形態の制御フローにおいては、同期信号合成部４をシングル受信とし、かつ受信信号合成部６をダイバーシチ受信とした状態でチャンネルサーチを行っている。この場合のフレーム同期感度は図２のフレーム同期感度（シングル受信）となり、また受信信号に対してはダイバーシチ処理を行うため、放送事業者名が取得できる感度は図２の映像再生感度（ダイバーシチ受信）となる。この２つの感度差は約３ｄＢであるため、放送事業者名を取得できないにも関わらず誤り訂正及びデコード(6)を行う電界強度の範囲は、従来の制御フローに比べて小さくなる。また、受信信号処理をダイバーシチ受信として放送事業者名取得を行うため、検出漏れも発生しない。
【００２２】
従って、本実施の形態に基づいてチャンネルサーチを行うことにより、検出漏れを起こさず、かつ高速にチャンネルサーチを行うことが可能となる。
【００２３】
また、本実施の形態ではデジタル放送の有無を判定するにあたり、フレーム同期を用いて第１段階目の判定を行い、同期が取れない場合には次のチャンネルをサーチすることによりサーチ速度の高速化を図っているが、さらに前段に電界強度が所定の閾値を越えるか否かを判定するステップを設けても良い。
【産業上の利用可能性】
【００２４】
本発明の受信装置は、ダイバーシチ受信およびシングル受信における同期感度と映像再生感度の差を利用し、チャンネルサーチの信頼性と高速化を両立するものである。端末の受信エリアが変わった場合には選局チャンネル表を都度作成する必要があるため、カーナビゲーションシステムや携帯電話などの移動受信端末において本発明は特に有用である。
【図面の簡単な説明】
【００２５】
【図１】実施の形態１における受信装置のブロック図
【図２】実施の形態１における受信感度の説明図
【図３】実施の形態１における制御フローの説明図
【符号の説明】
【００２６】
１  受信装置
２  第１受信部
３  第２受信部
４  同期信号合成部
５  同期判定部
６  受信信号合成部
７  誤り訂正部
８  デコード部
９  表示部
１０  放送事業者名取得部
１１  制御部
１２  メモリ
【図１】
2008060644.tif 000004
【図２】
2008060644.tif 000005
【図３】
2008060644.tif 000006